(57)【要約】【課題】ＨＤＲアシストモードであるとき、表示手段の温度に応じて白のサブピクセルの発光強度を変更することで、消費電力を削減することができる画像処理装置を提供する。【解決手段】撮像手段と、赤、緑、青、白のサブピクセルを含むカラー画素が配置された表示手段と、表示手段の発光輝度を制御可能な発光輝度制御手段と、白のサブピクセルの発光強度を変更可能な強度制御手段と、表示手段の温度を検出する温度検出手段と、ＨＤＲアシストモードであるか否かを検出するＨＤＲアシストモード検出手段と、を備え、ＨＤＲアシストモードであるとき、温度検出手段によって検出された温度が閾値より高い場合には、強度制御手段に設定される強度を第１の設定値とし、検出された温度が閾値より低い場合には、強度制御手段に設定される設定値を、第１の設定値で設定される強度より強度が少ない第２の設定値とする。【選択図】図１
2019113654.tif 000002
【特許請求の範囲】
【請求項１】
撮像手段と、
赤、緑、青、白のサブピクセルを含むカラー画素が配置された表示手段と、
前記表示手段の発光輝度を制御可能な発光輝度制御手段と、
白のサブピクセルの発光強度を変更可能な強度制御手段と、
前記表示手段の温度を検出する温度検出手段と、
前記表示手段にダイナミックレンジの広い画像を表示するＨＤＲアシストモードであるか否かを検出するＨＤＲアシストモード検出手段と、
を備え、
前記ＨＤＲアシストモードであるとき、前記温度検出手段によって検出された温度が閾値より高い場合には、前記強度制御手段に設定される強度を第１の設定値とし、
前記温度検出手段によって検出された温度が前記閾値より低い場合には、前記強度制御手段に設定される設定値を、前記第１の設定値で設定される強度より強度が少ない第２の設定値とすることを特徴とする画像処理装置。
【発明の詳細な説明】
【技術分野】
【０００１】
本発明は、表示手段を備えた画像処理装置に関するものである。
【背景技術】
【０００２】
近年、ダイナミックレンジが広い撮影画像データ（被写体の画像を表す画像データ）を撮影によって生成可能な撮影装置が増している。広いダイナミックレンジは「Ｈｉｇｈ  Ｄｙｎａｍｉｃ  Ｒａｎｇｅ（ＨＤＲ）」などと呼ばれ、ＨＤＲを有する画像データは「ＨＤＲ画像データ」などと呼ばれている。そして、画像制作、装置（画像処理装置、表示装置、等）の開発、等の現場において、ＨＤＲ画像データが想定される機会が増している。
【０００３】
ＨＤＲ画像データに忠実な画像を表示するためには、高精度な表示装置が必要となる。例えば、表示輝度（画面上の輝度）の上限が高く、且つ、コントラストが高い表示画像（画面に表示された画像）を表示可能であり、且つ、ダイナミックレンジが広い表示画像を表示可能な表示装置が必要となる。ＨＤＲ画像データに忠実な画像を表示可能な表示装置を、以後、「ＨＤＲ表示装置」と記載する。
【０００４】
例えば、最大表示輝度が１０００ｎｉｔｓ（＝１０００ｃｄ／ｍ２）以上、最小表示輝度が０．０３ｎｉｔｓ以下という条件を満たす表示装置をＨＤＲ表示装置と定義してもよい。また、最大表示輝度が１０００ｎｉｔｓ以上、最小表示輝度が０．０５ｎｉｔｓ以下という条件を満たす液晶表示装置をＨＤＲ表示装置と定義してもよい。最大表示輝度が５４０ｎｉｔｓ以上、最小表示輝度が０．０００５ｎｉｔｓ以下という条件を満たす自発光型表示装置（有機ＥＬ表示装置等）をＨＤＲ表示装置と定義してもよい。
【０００５】
ところで、最大表示輝度が１０００ｎｉｔｓ以上であるＨＤＲ表示装置である場合でも、１０００ｎｉｔｓ以上の高輝度表示を行うと著しく消費電力が増大するため、低消費電力化が求められる。
【０００６】
そこで、例えば、特許文献１が開示されている。これは、従来の赤（Ｒ）、緑（Ｇ）、青（Ｂ）のサブピクセル（以下、ＲＧＢ画素）に白（Ｗ）のサブピクセル（以下、Ｗ画素）を追加したＲＧＢＷ画素パネルである。このパネルは、高輝度化が可能なために、バックライトの輝度を低減することで低電力化の実現が可能である。
【０００７】
なお、ここでは、ＲＧＢ画素はＲサブピクセルとＧサブピクセルとＢサブピクセルとで構成されるカラー１画素を意味する。また、ＲＧＢＷ画素はＲサブピクセルとＧサブピクセルとＢサブピクセルとＷサブピクセルで構成されるカラー１画素を意味する。複数のサブピクセル（ドット）で１つのピクセル（画素）を構成している。
【０００８】
しかし、ＲＧＢＷ画素パネルでは、Ｗ画素を用いることで輝度を向上することが可能であるが、Ｗ画素を用いない単色表示の場合は輝度が低減する。その結果、白色と単色を表示した場合の白色に対する単色の相対輝度が低くなり、単色がくすんだ画像となる画質劣化が生じる。また、Ｗ画素とＲＧＢ画素の輝度比が大きくなった場合に、Ｗ画素が見えやすくなるため、ドットが目立つという画質劣化も生じる。特に、高彩度領域に囲まれた領域に白領域が存在する場合に（黒枠部分）、画質劣化が顕著である。
【先行技術文献】
【特許文献】
【０００９】
【特許文献１】特開２０１２−２２２１７号公報
【発明の概要】
【発明が解決しようとする課題】
【００１０】
しかしながら、ＲＧＢＷ画素パネルを用いても、高輝度表示をする際には、従来パネルと同じように消費電力は増大し、特に、小型筺体においては、熱が問題となってくる。そのため、ＨＤＲ表示のために、１０００ｎｉｔｓ以上で使用することができない、もしくは、１０００ｎｉｔｓ以上で表示できる時間が限られるといった事態に陥り、表示能力を制限して使用せざるを得なくなる。
【００１１】
そこで、本発明の目的は、ＨＤＲアシストモードであるとき、表示手段の温度に応じて白のサブピクセルの発光強度を変更することで、消費電力を削減することができる画像処理装置を提供することである。
【課題を解決するための手段】
【００１２】
上記目的を達成するために、本発明に係る画像処理装置は、撮像手段と、赤、緑、青、白のサブピクセルを含むカラー画素が配置された表示手段と、前記表示手段の発光輝度を制御可能な発光輝度制御手段と、白のサブピクセルの発光強度を変更可能な強度制御手段と、
前記表示手段の温度を検出する温度検出手段と、前記表示手段にダイナミックレンジの広い画像を表示するＨＤＲアシストモードであるか否かを検出するＨＤＲアシストモード検出手段と、を備え、前記ＨＤＲアシストモードであるとき、前記温度検出手段によって検出された温度が閾値より高い場合には、前記強度制御手段に設定される強度を第１の設定値とし、前記温度検出手段によって検出された温度が前記閾値より低い場合には、前記強度制御手段に設定される設定値を、前記第１の設定値で設定される強度より強度が少ない第２の設定値とすることを特徴とする。
【発明の効果】
【００１３】
本発明によれば、ＨＤＲアシストモードであるとき、表示手段の温度に応じて白のサブピクセルの発光強度を変更することで、消費電力を削減することができる。
【図面の簡単な説明】
【００１４】
【図１】本発明の実施形態に係る撮影装置の構成例を示す図
【図２】本発明の実施形態に係る液晶パネルのサブピクセル配置例を示す図
【図３】本発明の実施形態に係るＷ強度とＢＬ強度の関係を示す図
【図４】本発明の実施形態に係るＷ強度とＢＬ電流と画質の関係を示す図
【図５】本発明の実施形態に係る液晶表示部の温度と時間との関係を示す図
【図６】本発明の実施形態に係る液晶表示部の温度と時間との関係を示す図
【図７】本発明の実施形態に係る処理フローの一例を示す図
【発明を実施するための形態】
【００１５】
＜第１の実施形態＞
以下に、本発明の好ましい実施の形態を、図１乃至図７を参照して説明する。なお、以下では、本実施形態に係る画像処理装置が撮影装置（デジタルカメラ）に設けられている例を説明するが、本実施形態に係る画像処理装置は、撮影装置とは別体の装置（パーソナルコンピュータ、表示装置、等）であってもよい。
【００１６】
また、以下では、撮影装置が表示部（表示手段）を有する例を説明するが、表示部は、撮影装置とは別体の表示装置であってもよい。表示部は、本実施形態に係る画像処理装置とは別体の表示装置であってもよいし、本実施形態に係る画像処理装置に設けられた表示部であってもよい。
【００１７】
さらに、以下では、表示部が、バックライトモジュールと液晶パネルを有する液晶表示部である例を説明するが、表示部は液晶表示部に限られない。例えば、発光部と、発光部からの光を透過することで画像を表示する表示パネルと、を有する他の表示部が使用されてもよい。
【００１８】
具体的には、表示素子としてＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示部が使用されてもよい。自発光型の表示部が使用されてもよい。具体的には、有機ＥＬ（Ｅｌｅｃｔｒｏ−Ｌｕｍｉｎｅｓｃｅｎｃｅ）表示パネル、プラズマ表示パネル、等が使用されてもよい。
【００１９】
本実施形態に係る撮影装置（デジタルビデオカメラ）の構成について、図１を用いて説明する。図１は、本実施形態に係る撮影装置の構成例を示す。制御部１０１は、撮影装置の様々な処理を行う。制御部１０１には、信号処理部１０３、記録・再生部１０４、液晶表示部１０５、バックライト駆動部１０９、電源操作部１１２、操作部１１３、メモリ１１４、ＨＤＲアシストモード検出部１１５、及び、温度検出部１１６が接続されている。
【００２０】
制御部１０１は、データ処理部１１０と表示処理部１１１を有し、液晶表示部１０５は、タッチパネル１０６、液晶パネル１０７、バックライトユニット１０８、ＲＧＢＷ制御部１１７、及び、バックライト制御部１１８を有する。バックライト駆動部１０９には、バックライト制御部１１８が接続されている。
【００２１】
画像・音声入力部１０２は、画像を表すアナログ信号である画像信号と、音声を表すアナログ信号である音声信号とを取得し、画像信号と音声信号を信号処理部１０３へ出力する。本実施形態では、画像・音声入力部１０２は、撮像部（撮像センサ；撮像素子）と音声入力部（マイクロフォン）とを有する。被写体からの光は、レンズを介して、撮像部に入射する。それにより、被写体を表す光学像が撮像部に形成（結像）される。
【００２２】
撮像部は、形成された光学像を、所定の信号フォーマットを有する画像信号に変換し、画像信号を出力する。音声入力部は、入力された音声を音声信号に変換し、音声信号を出力する。
【００２３】
信号処理部１０３は、画像・音声入力部１０２から出力されたアナログ信号に所定の画像処理を施す。所定の画像処理は、画像信号に対する処理、音声信号に対する処理、または、それらの両方を含む。所定の信号処理は、例えば、ノイズ成分を低減するノイズリダクション処理、信号レベルを一定に保つＡＧＣ（Ａｕｔｏｍａｔｉｃ  Ｇａｉｎ  Ｃｏｎｔｒｏｌ）処理、等を含む。信号処理部１０３は、所定の信号処理後のアナログ信号をデジタル信号（デジタルデータ）に変換するＡ／Ｄ変換部を有する。
【００２４】
信号処理部１０３は、Ａ／Ｄ変換部によって得られたデジタルデータ（画像を表すデジタルデータである画像データ、及び、音声を表すデジタルデータである音声データ）を制御部１０１へ出力する。
【００２５】
記録・再生部１０４は、記録処理、再生処理、等を行う。記録処理は、制御部１０１から記録・再生部１０４へ出力されたデジタルデータ（画像データと音声データ）を記憶部に記録する処理である。再生処理は、記憶部からデジタルデータ（画像データと音声データ）を読み出し、読み出したデジタルデータを制御部１０１へ出力する処理である。本実施形態では、記録処理と再生処理は、制御部１０１からの指示に応じて切り替えられて実行される。
【００２６】
タッチパネル１０６は、撮影装置に対する様々な操作を受け付け可能な操作部である。例えば、タッチパネル１０６は、表示モードの設定を指示するモード設定操作、表示モードの設定の解除を指示するモード解除操作、記録処理の実行を指示する記録操作、再生処理の実行を指示する再生操作、等を受け付けることができる。具体的には、タッチパネル１０６は、タッチパネル１０６に対するユーザーの接触を検出し、接触の検出結果（接触位置、接触時間、接触位置の変化、等）を制御部１０１へ出力する。
【００２７】
制御部１０１は、接触の検出結果から、行われた操作を判断する。本実施形態では、タッチパネル１０６は、液晶パネル１０７の表示面（画面）上に設けられている。タッチパネル１０６は、他の位置に設けられていてもよい。撮影装置に対してユーザーがモード設定操作を行うと、制御部１０１は、モード設定操作に対応する表示モードを設定する。制御部１０１は、複数の表示モードのうちの１つ以上の表示モードを設定することができる。撮影装置に対してユーザーがモード解除操作を行うと、制御部１０１は、モード解除操作に対応する表示モードの設定を解除する。
【００２８】
液晶パネル１０７は再生映像や撮像映像を表示可能な表示手段であり、液晶パネル１０７の後部にはバックライトユニット１０８を備えたバックライト方式の液晶パネルとなる。図２は本実施形態に係る液晶パネル１０７のサブピクセルの配置例を示す図である。液晶パネル１０７は、図２（ａ）（ｂ）に示されるように、各画素はＲ（赤）、Ｇ（緑）、Ｂ（青）、Ｗ（白）の４サブピクセルで構成される。尚、各画素におけるＲ、Ｇ、Ｂ、Ｗサブピクセルの形状および配置関係は特に限定されない。
【００２９】
液晶表示部１０５は、制御部１０１からの制御により、表示処理部１１１より入力される映像信号を液晶パネル１０７に表示させるよう制御する。液晶パネル１０７への映像表示のＯＮ／ＯＦＦを制御部１０１により制御している。また、制御部１０１からバックライト駆動部１０９に制御信号が入力され、バックライトユニット１０８の点灯を行う。液晶表示部１０５は、ＲＧＢＷ制御部１１７とバックライト制御部１１８を有する。
【００３０】
ＲＧＢＷ制御部１１７は、制御部１０１からのＷ画素の透過量（以下、Ｗ強度）ＭＡＸ値を制御するＷ強度設定値と入力ＲＧＢ信号の画像解析から、バックライトユニット１０８におけるバックライト強度値（以下、ＢＬ値）の算出と、液晶パネル１０７の各画素におけるＲＧＢＷ信号の生成をする。ＲＧＢＷ制御部１１７で求められたＢＬ値は、バックライト制御部１１８に出力される。
【００３１】
バックライト制御部１１８は、このＢＬ値と制御部１０１からのバックライト輝度を任意に変えるためのバックライトレベル設定値（以下、ＢＬレベル設定値）に応じて、バックライトユニット１０８の輝度を調節するためのバックライト制御信号（以下、ＢＬ制御信号）をバックライト駆動部１０９に出力する。このＢＬ制御信号は、ＢＬ値とＢＬレベル設定値を乗算したものになる。
【００３２】
図３は、Ｗ強度とバックライト強度の関係を示した図である。図３において斜線部分が、Ｗ強度に対してＢＬ値の取り得る領域を示している。Ｗ強度が大きいほどＢＬ値の取り得る範囲は広がり、つまりＢＬ値の最小値が低くなり、消費電力の削減割合が大きくなる。逆に、Ｗ強度が小さい場合は、ＢＬ値の取り得る範囲は狭まり、つまりＢＬ値の最小値が高くなり、消費電力の削減割合が小さくなる。
【００３３】
バックライトユニット１０８は、冷陰極蛍光ランプ（ＣＣＦＬ）や白色発光ダイオード（白色ＬＥＤ）などの白色光源を用いたものであり、バックライト駆動部１０９によって、ＢＬ制御信号に比例した明るさに制御することができる。バックライトユニット１０８の明るさの制御方法は、用いられる光源の種類によって異なるが、例えば、バックライト値に比例した電圧をかけたり、バックライト値に比例した電流を流したりして明るさを制御することができる。
【００３４】
また、バックライトがＬＥＤなどの場合は、パルス幅変調（ＰＷＭ）でデューティー比を変えて明るさを制御することも可能である。さらに、バックライト光源の明るさが非線形特性を持つ場合、バックライト値からルックアップテーブルで光源への印加電圧や印加電流等を求めてバックライトへの明るさ制御を行うことにより所望の明るさに制御する方法などもある。
【００３５】
尚、入力信号は上述のようなＲＧＢ信号に限られるものではなく、ＹＵＶ信号などのカラー信号でもよい。ＲＧＢ信号以外のカラー信号が入力される場合、それをＲＧＢ信号に変換してからＲＧＢＷ制御部１１７に入力する構成であっても良く、あるいは、ＲＧＢＷ制御部１１７がＲＧＢ信号以外のカラー入力信号をＲＧＢＷ信号へ変換可能な構成であっても良い。
【００３６】
データ処理部１１０は、入力画像データと入力音声データを取得する。例えば、再生処理が行われている期間において、データ処理部１１０は、記録・再生部１０４から出力された画像データを入力画像データとして取得し、記録・再生部１０４から出力された音声データを入力音声データとして取得する。再生処理が行われていない期間において、データ処理部１１０は、信号処理部１０３から出力された画像データを入力画像データとして取得し、信号処理部１０３から出力された音声データを入力音声データとして取得する。本実施形態では、撮影装置に対してユーザーが再生操作を行うと、制御部１０１は、記録・再生部１０４に対して、再生処理の実行を指示する。その結果、記録・再生部１０４において、再生処理が行われる。
【００３７】
データ処理部１１０は、取得したデジタルデータに所定のデータ処理を施す。所定のデータ処理は、入力画像データに対する処理、入力音声データに対する処理、または、それらの両方を含む。所定のデータ処理は、例えば、デジタルデータのデータフォーマットを変換するフォーマット変換処理、入力画像データの画像サイズを変換するリサイズ処理、グラフィック画像データを入力画像データに合成する合成処理、等を含む。
【００３８】
グラフィック画像データは、例えば、メニュー画像などを表すＯＳＤ（Ｏｎ  Ｓｃｒｅｅｎ  Ｄｉｓｐｌａｙ）画像データである。データ処理部１１０は、所定のデータ処理後の画像データを表示処理部１１１へ出力し、所定のデータ処理後の音声データをスピーカーへ出力する。スピーカーは、スピーカーへ出力された音声データに応じた音声を発する。
【００３９】
また、データ処理部１１０は、信号処理部１０３から出力されたデジタルデータ（画像データと音声データ）を、記録・再生部１０４へ出力することができる。本実施形態では、撮影装置に対してユーザーが記録操作を行うと、制御部１０１は、記録・再生部１０４に対して、記録処理の実行を指示する。そして、データ処理部１１０は、信号処理部１０３から出力されたデジタルデータを、記録・再生部１０４へ出力する。その結果、記録・再生部１０４において、記録処理が行われる。
【００４０】
本実施形態では、撮影画像データ（被写体の画像を表す画像データ）が、入力画像データとして使用される。しかしながら、入力画像データは撮影画像データに限られない。例えば、入力画像データは、コンピューターグラフィック画像データ、イラスト画像データ、等であってもよい。また、入力画像データは、静止画像データであってもよいし、動画像データであってもよい。
【００４１】
表示処理部１１１は、設定されている表示モードに基づく処理を行う。そして、表示処理部１１１は、上記処理（設定されている表示モードに基づく処理）後の画像データを、液晶パネル１０７へ出力する。液晶パネル１０７へ出力される画像データは、データ処理部１１０から出力された入力画像データに基づく画像データである。そのため、液晶表示部１０５において、入力画像データに基づく画像が表示される。
【００４２】
電源操作部１１２は、撮影装置の起動を指示する起動操作と、撮影装置の停止を指示する停止操作とを受け付け可能な操作部（スイッチなど）である。起動操作は「オフ状態からオン状態への切り替え（撮影装置の電源状態の切り替え）を指示する操作」とも言えるし、停止操作は「オン状態からオフ状態への電源状態の切り替えを指示する操作」とも言える。撮影装置に対してユーザーが起動操作を行うと、制御部１０１は、撮影装置を起動するための起動処理を行う。撮影装置に対してユーザーが停止操作を行うと、制御部１０１は、撮影装置を停止するための停止処理を行う。
【００４３】
操作部１１３は、撮影装置に対する様々な操作を受け付け可能な操作部（スイッチなど）である。例えば、操作部１１３は、モード設定操作、モード解除操作、記録操作、再生操作等を受け付けることができる。操作部１１３が受け付け可能な操作は、タッチパネル１０６が受け付け可能な操作と同じであってもよいし、異なっていてもよい。
【００４４】
メモリ１１４は、制御部１０１の処理で使用されるデータなどを一時的に記憶する。
【００４５】
ＨＤＲアシストモード検出部１１５は、ＨＤＲアシストモードの設定を検出する。ＨＤＲアシストモードとは、ＨＤＲ画像データの階調性をユーザーが確認できるように、液晶表示部１０５に表示するモードであり、バックライトユニット１０８の輝度は最高輝度になる。
【００４６】
そして、ＨＤＲアシストモード検出部１１５は、ＨＤＲアシストモードの設定の検出結果を、表示処理部１１１へ出力する。換言すれば、ＨＤＲアシストモード検出部１１５は、ＨＤＲアシストモードが設定されているか否かを判断する。そして、ＨＤＲアシストモード検出部１１５は、ＨＤＲアシストモードが設定されているか否かの判断結果を、表示処理部１１１へ出力する。
【００４７】
温度検出部１１６は、液晶表示部１０５の温度を検出する。
【００４８】
本実施形態に係るＲＧＢＷ画素パネルのＷ強度とＢＬ電流と画質劣化の関係について、図４を用いて説明する。モード１〜２は、輝度が１０００ｃｄ／ｍ2にする設定であり、ＨＤＲアシストの際に高輝度表示する時に使用する。モード１は、Ｗ強度を小さく（設定値：Ｗ１）し、画質劣化をなくしたモードである。つまり、Ｗの使用量を少なくしているため、高輝度にするためにはＢＬ電流を多くする必要があり、消費電力が大きい。本実施形態では、２２ｍＡ（設定値：Ｂ１）としている。
【００４９】
モード３は、Ｗ強度を大きく（設定値：Ｗ３）することで画質劣化が顕著に表れるが、Ｗの使用量を多くしているため、ＢＬ電流を少なくすることができ、消費電力が小さい。本実施形態では、１２ｍＡ（設定値：Ｂ３）としている。モード２は、Ｗ強度を中程度（設定値：Ｗ２）にし、少しの画質劣化はあるがモード１よりも省電力化したモードである。
【００５０】
本実施形態では、ＢＬ電流を１７ｍＡ（設定値：Ｂ２）としている。モード４は、ＨＤＲアシスト以外の通常の撮影モードの時に使用する。高輝度表示する必要がないため、輝度は２００ｃｄ／ｍ2に設定する。Ｗ強度を小さく（設定値：Ｗ４）し、画質劣化をなくして輝度も低くしたモードである。本実施形態では、ＢＬ電流を５ｍＡ（設定値：Ｂ４）としている。
【００５１】
図５にモード１〜３で表示する際の、時間と液晶表示部１０５の温度の関係を表した図である。モード１、モード２、モード３の順で、高い温度で飽和するようになる。つまり、ＢＬ電流が多いほど温度が高いところで飽和する。
【００５２】
本実施形態に係る撮影装置の処理フローの一例について、図７を用いて説明する。図７は、本実施形態に係る撮影装置の処理フローの一例を示すフローチャートである。図７の処理フローは、例えば、電源操作部１１２を用いて起動操作、操作部１１３を用いた記録操作、等に応じて実行される。
【００５３】
Ｓ７０１にて、ＨＤＲアシストモード検出部１１５が、ＨＤＲアシストモードが設定されているか否かを判断する。ＨＤＲアシストモードが設定されている場合には、Ｓ７０２へ処理が進められ、ＨＤＲアシストモードが設定されていない場合には、Ｓ７０７へ処理が進められる。Ｓ７０７では、図４のモード４の設定が適用され、Ｓ７０８へ処理が進められる。
【００５４】
Ｓ７０２では、温度検出部１１６が温度閾値α１以上か否かを判定する。温度閾値α１以上の場合には、Ｓ７０４へ進み、温度閾値α１未満の場合には、Ｓ７０３へ処理が進められる。Ｓ７０３では、図４のモード１の設定が適用され、Ｓ７０８へ処理が進められる。
【００５５】
図６は、ＨＤＲアシストモードに移行した際の温度変化を表した図である。Ｓ７０３は、ＨＤＲアシストモードに切り替わった時に、温度閾値α１未満であるので、図６の左端の図の状態であり、モード１〜３すべてのモードにおいて、液晶表示部１０５内の限界温度を超えることはない。そのため、画質劣化のないモード１にて表示する。ここで、限界温度とは、液晶表示部を形成する部品の保証温度上限を意味する。
【００５６】
Ｓ７０４では、温度検出部１１６が温度閾値α２以上か否かを判定する。温度閾値α２は、温度閾値α１より高い温度である。温度閾値α２以上の場合には、Ｓ７０６へ進み、温度閾値α２未満の場合はには、Ｓ７０５へ処理が進められる。Ｓ７０５では、図４のモード２の設定が適用され、Ｓ７０８へ処理が進められる。
【００５７】
Ｓ７０５は、ＨＤＲアシストモードに切り替わった時に、温度閾値α１以上α２未満であるので、図６の真ん中の図の状態であり、モード１はユニット内の限界温度を超えてしまう。そのため、モード１の設定にすることはできない。モード２〜３は、限界温度を超えないため、設定可能であり、画質劣化の少ない方のモード２にて表示する。
【００５８】
Ｓ７０６では、図４のモード３の設定が適用され、Ｓ７０８へ処理が進められる。Ｓ７０６は、ＨＤＲアシストモードに切り替わった時に、温度閾値α２以上であるので、図６の右端の図の状態であり、モード１〜２はユニット内の限界温度を超えてしまう。そのため、モード１、２の設定にすることはできない。モード２は、限界温度を超えないため、設定可能であり、画質劣化は多いが消費電力の少なく温度上昇の少ないモード３にて表示する。このように、ＨＤＲアシストモードでは、被写体の階調性を確認するためのモードであり、多少の画質劣化は許容しても、輝度が高く出ることが望ましい。
【００５９】
Ｓ７０８にて、制御部１０１が、電源操作部１１２を用いた停止操作が行われたか否かを判断する。停止操作が行われていない場合には、Ｓ７０１へ処理が戻される。そして、停止操作が行われるまで、Ｓ７０１〜Ｓ７０８の処理が繰り返される。停止操作が行われると、本処理フローが終了される。なお、図７の処理フローを終了するか否かの判断方法は、これに限られない。例えば、再生終了操作（再生処理の終了を指示する操作）が行われるまでＳ７０１〜Ｓ７０８の処理が繰り返され、再生終了操作に応じて図７の処理フローが終了されてもよい。記録終了操作（記録処理の終了を指示する操作）が行われるまでＳ７０１〜Ｓ７０８の処理が繰り返され、記録終了操作に応じて図７の処理フローが終了されてもよい。
【００６０】
以上述べたように、本実施形態によれば、ＨＤＲアシストモードが設定されており、液晶表示部の温度に応じてＷ強度を変えることで、表示輝度を維持しつつ、消費電力を削減し、液晶表示部の温度上昇を抑えることができる。
【００６１】
なお、本実施形態での、輝度やＢＬ電流の値は、この値に特定されるものではなく、液晶表示部のスペックにより最適値は変わるものであり、適宜変更可能である。また、本実施形態での、ＲＧＢＷ画素パネルモードの分け方は、これに特定されるものではなく、モードの種類を少なくしても、多くしても良く、適宜変更可能である。
【００６２】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６３】
１０１‥‥制御部
１０２‥‥画像・音声入力部
１０３‥‥信号処理部
１０４‥‥記録・再生部
１０５‥‥液晶表示部
１０６‥‥タッチパネル
１０７‥‥液晶パネル
１０８‥‥バックライトユニット
１０９‥‥バックライト駆動部
１１０‥‥データ処理部
１１１‥‥表示処理部
１１２‥‥電源操作部
１１３‥‥操作部
１１４‥‥メモリ
１１５‥‥ＨＤＲアシストモード検出部
１１６‥‥温度検出部
１１７‥‥ＲＧＢＷ制御部
１１８‥‥バックライト制御部
【図１】
2019113654.tif 000003
【図２】
2019113654.tif 000004
【図３】
2019113654.tif 000005
【図４】
2019113654.tif 000006
【図５】
2019113654.tif 000007
【図６】
2019113654.tif 000008
【図７】
2019113654.tif 000009